(57)【特許請求の範囲】
【請求項１】
主索の一端部に連結したかご枠内に、上下に配置した上部かご室および下部かご室と、両かご室間の位置を調整する階高調整用駆動装置と、前記かご枠内での前記上部かご室および前記下部かご室の上下動を案内する副ガイドレールと、この副ガイドレールに対して非常時に噛み込むよう前記両かご室側にそれぞれ設けた内かご用非常止め装置と、前記両かご室の下方に位置する部分の前記かご枠にそれぞれ設けたバッファ装置とを備えたダブルデッキエレベーターにおいて、
前記両かご室側の前記内かご用非常止め装置が共に作動したとき、前記両かご室のいずれか一方にジャッキ装置を設け、このジャッキ装置により、このジャッキ装置の設けられた側のかご室を上方に所定距離移動してこれに対応する側の前記内かご用非常止め装置を解放し、前記ジャッキ装置を撤去後、前記階高調整用駆動装置を用いて前記両かご室の他方を上方に所定距離移動して、これに対応する側の前記内かご用非常止め装置を解放することを特徴とするダブルデッキエレベーターのかご用非常止め復帰方法。
【請求項２】
前記ジャッキ装置は、前記バッファ装置の上部に支持して設けたことを特徴とする請求項１に記載のダブルデッキエレベーターのかご用非常止め復帰方法。
【発明の詳細な説明】
【技術分野】
【０００１】
本発明は、ダブルデッキエレベーターの内かご用非常止め装置が作動した後の復帰を行うダブルデッキエレベーターのかご用非常止め復帰方法に関する。
【背景技術】
【０００２】
一般に、主索の一端にかご枠を連結し、このかご枠内に設けた副ガイドレールに対して上部かご室および下部かご室をそれぞれ上下動可能に配置し、各階床間隔の変化に応じて階高調整用駆動装置によって両かご室間を調整し、例えば、一方のかご室を上方に駆動しながら他方のかご室を下方に駆動するようにしたダブルデッキエレベーターが知られている（例えば、特許文献１を参照）。
【０００３】
この種のダブルデッキエレベーターでは、非常時にかご枠を主ガイドレールに対して緊急固定する非常止め装置とは別に、かご枠内に配置した副ガイドレールに対して非常時に緊急停止する内かご用非常止め装置を設けた構成が知られている（例えば、特許文献２を参照）。
【先行技術文献】
【特許文献】
【０００４】
【特許文献１】特開２０００−３４４４３０号公報
【特許文献２】国際公開番号Ｗ２００２−３８４８２号公報
【発明の概要】
【発明が解決しようとする課題】
【０００５】
しかしながら、従来のダブルデッキエレベーターでは、上部かご室と下部かご室をそれぞれ緊急固定する両内かご用非常止め装置が同時に作動した場合、点検後に復帰させる必要があるが、簡単に行うことはできない。つまり、かご枠内に配置した上部かご室と下部かご室は、階床間隔の変化に対応できるようにするため、上述したように一方のかご室を上方に駆動しながら他方のかご室を下方に駆動する構成としている。従って、一般的な非常止め装置として知られているようにその非常止め装置を取り付けたかご室を上方に駆動して解除しようとしても、一方のかご室を上方に駆動しようとすると他方のかご室は下方に駆動されることになり、この他方のかご室に取り付けた側の内かご用非常止め装置が解除されずかご室そのもの動きを阻止してしまう。このため、両内かご用非常止め装置を簡単には解除することができない。
【０００６】
本発明の目的は、上部かご室と下部かご室をそれぞれ緊急固定する両内かご用非常止め装置が同時に作動した場合でも、比較的に簡単に解除できるようにしたダブルデッキエレベーターのかご用非常止め復帰方法を提供することにある。
【課題を解決するための手段】
【０００７】
本発明は前記目的を達成するために、主索の一端部に連結したかご枠内に、上下に配置した上部かご室および下部かご室と、両かご室間の位置を調整する階高調整用駆動装置と、前記かご枠内での前記上部かご室および前記下部かご室の上下動を案内する副ガイドレールと、この副ガイドレールに対して非常時に噛み込むよう前記両かご室側にそれぞれ設けた内かご用非常止め装置と、前記両かご室の下方に位置する部分の前記かご枠にそれぞれ設けたバッファ装置とを備えたダブルデッキエレベーターにおいて、前記両かご室側の前記内かご用非常止め装置が共に作動したとき、前記両かご室のいずれか一方にジャッキ装置を設け、このジャッキ装置により、このジャッキ装置の設けられた側のかご室を上方に所定距離移動してこれに対応する側の前記内かご用非常止め装置を解放し、前記ジャッキ装置を撤去後、前記階高調整用駆動装置を用いて前記両かご室の他方を上方に所定距離移動して、これに対応する側の前記内かご用非常止め装置を解放することを特徴とする。
【０００８】
このような方法によれば、単純に階高調整用駆動装置によって両かご室を一緒に上方へ駆動することができないダブルデッキエレベーターでも、ジャッキ装置を使用するだけで、比較的簡単に内かご用非常止め装置を解除することができる。しかも、最後に内かご用非常止め装置を解除する側の他方のかご室は、階高調整用駆動装置を用いて持ち上げるため、複雑な工具を多数使用することなく、簡単な作業とすることができる。
【０００９】
また本発明は、上述の構成に加えて、前記ジャッキ装置は、前記バッファ装置の上部に支持して設けたことを特徴とする。
【００１０】
このような方法によれば、ジャッキ装置をいずれか一方のかご室の下方に配置する場合、そのかご室の下部に既に配置しているバッファ装置を利用してその上部にジャッキ装置を利用することができ、内かご用非常止め装置の解除の際に使用するジャッキ装置を強固に固定保持するために特別の支持部材を必要としないし、このことを見込んでかご枠に支持部を予め構成しておく必要もないので、かご枠の構成を簡単にすることができる。    
【発明の効果】
【００１１】
本発明によれば、単純に階高調整用駆動装置によって両かご室を一緒に上方へ駆動することができないダブルデッキエレベーターでも、ジャッキ装置を使用するだけで、比較的簡単に内かご用非常止め装置を解除することができる。しかも、最後に内かご用非常止め装置を解除する側の他方のかご室は、階高調整用駆動装置を用いて持ち上げるため、複雑な工具を多数使用することなく、簡単な作業とすることができる。
【図面の簡単な説明】
【００１２】
【図１】本発明の一実施の形態によるダブルデッキエレベーターの概略構成図である。
【図２】図１に示したダブルデッキエレベーターの要部であるかご枠の拡大正面図である。
【図３】図２に示したかご枠内の両内かご用非常止め装置が動作した状態を示す正面図である。
【図４】図２に示したかご枠内の一方の内かご用非常止め装置が動作した状態を示す正面図である。
【図５】図２に示したかご枠内の断面図である。
【図６】本発明の一実施の形態によるダブルデッキエレベーターの内かご用非常止め解除方法を示すフローチャートである。
【図７】図４に示したバッファ装置にジャッキ装置を設置した状態を示す要部断面図である。
【図８】他の構成のバッファ装置にジャッキ装置を設置した状態を示す要部断面図である。
【図９】さらに他の構成のバッファ装置にジャッキ装置を設置した状態を示す要部断面図である。
【発明を実施するための形態】
【００１３】
以下、本発明の実施の形態を図面に基づいて説明する。
【００１４】
図１は、本発明の一実施の形態によるダブルデッキエレベーターの概略構成図である。昇降路１の上部には駆動シーブ２を有する巻上機３、そらせ車４、また制御装置５などが配置されている。駆動シーブ２とそらせ車４には主索６が巻き掛けられ、この主索６の一端にはかご装置７が、また他端には釣合おもり８が吊り下げられている。かご装置７および釣合おもり８は図示しないガイドレールによってそれぞれ案内されながら昇降するように構成されている。
【００１５】
かご装置７は、拡大図である図２に示すように一対の縦枠９間に、上部梁１０と中間梁１１と下部梁１２とを連結して仕切ったかご枠１３を有し、このかご枠１３の上部枠内に上部かご室１４を配置し、下部枠内に下部かご室１５を配置している。主索６の一端を連結した上部梁１０には階高調整用駆動装置１６が設置され、そのシーブ１７には調整用ロープ１８が巻き掛けられ、この調整用ロープ１８の一端は上部かご室１４の下部に可回転的に設けたプーリ１９を介して上部梁１０に連結され、調整用ロープ１８の他端は下部かご室１５の下部に可回転的に設けたプーリ２０を介して中間梁１１に連結されている。
【００１６】
調整用ロープ１８は、上部かご室１４がかご枠１３内の略最上部に位置したときに、下部かご室１５がかご枠１３内の略最下部に位置するような長さに調節されている。両かご室１４，１５は、調整用ロープ１８によって連結されているため、階高調整用駆動装置１６を駆動制御することによって、一方のかご室をかご枠１３内で上昇させながら他方のかご室をかご枠１３内で下降させることになる。従って、図１に実線で示したかご装置７の停止位置では、その階床間隔に合わせて上部かご室１４および下部かご室１５間を停止することができ、一方、同図の点線で示したかご装置７の停止位置では、その階床間隔に合わせて上部かご室１４および下部かご室１５の間隔を狭めて停止することができる。
【００１７】
このときの上部かご室１４および下部かご室１５は、図３および図５に示すようにかご枠１３に固定した一対の副ガイドレール２１に沿って上下方向に案内されるように構成されている。図５は下部かご室１５に対応する位置の昇降路の平面図であり、昇降路壁２２にはかご装置７の案内を行う一対の主ガイドレール２３が固定されており、この主ガイドレール２３に可摺動的にかご枠１３が係合されている。かご枠１３の内側には、一対の副ガイドレール２１がそれぞれ固定され、上述したように階床間隔に合わせて上部かご室１４および下部かご室１５が昇降するときこの副ガイドレール２１に沿って移動する。
【００１８】
下部かご室１５の下部には一対のプーリ２０が可回転的に支持され、このプーリ２０に掛けた調整用ロープ１８が副ガイドレール２１に接触しないように一対のプーリ２０は、一対の副ガイドレール２１に対して傾きを持った線上に配置されている。また下部かご室１５の下部には、一対のバッファ装置２４が配置されている。この一対のバッファ装置２４は、下部かご室１５の落下時に衝撃を吸収しながら受けるもので、下部かご室１５をバランス良く受け止める位置に配置されている。同様に、図３に示すように上部かご室１４の下部にも、一対のバッファ装置２５が配置されている。
【００１９】
また上部かご室１４および下部かご室１５には、特に、図３に示したようにそれぞれ一対の周知構成の内かご用非常止め装置２６，２７が設けられ、この内かご用非常止め装置２６，２７は非常時に副ガイドレール２１をそれぞれ強固に噛み込んで固定状態とするように構成されている。内かご用非常止め装置２６，２７としては、例えば、主ガイドレール２３用として知られている種々の構成のものや専用に構成した類似構成を採用することができるが、いずれの場合も、副ガイドレール２１を釈放可能に強固に噛み込む把持部分を有しており、噛み込み状態で上部かご室１４および下部かご室１５が下方に落下しないようにそれぞれ緊急保持するが、上部かご室１４および下部かご室１５を上方へ所定距離だけ駆動すると把持部分が副ガイドレール２１を釈放するように構成されている。尚、図３は、図２に示した調整用ロープ１８を省略し簡略化している。
【００２０】
このような構成のダブルデッキエレベーターでは、上部かご室１４および下部かご室１５の両内かご用非常止め装置２６，２７が共に作動した場合、一般的なエレベーターのように乗りかごを上方へ駆動して噛み込み状態を解除することはできない。つまり、階高調整用駆動装置１６を駆動制御し、調整用ロープ１８を介して上部かご室１４を上方へ駆動して内かご用非常止め装置２６を解除しようとすると、下部かご室１５は下方へ移動しようとするが、内かご用非常止め装置２７によって動きを阻止されているため、上部かご室１４を上方へ駆動することもできない。逆に、下部かご室１５を上方に駆動して内かご用非常止め装置２７を解除しようとする場合も、調整用ロープ１８によって上部かご室１４は下方に移動させる動きとなるが、内かご用非常止め装置２６によって阻止されてしまう。
【００２１】
そこで、上部かご室１４および下部かご室１５の内かご用非常止め装置２６，２７が共に作動した場合、図６に示したフローチャートに従って解除作業を行う。
【００２２】
図３に×印を付加して示したように、内かご用非常止め装置２６，２７が共に作動したとき、先ず、作業員はステップＳ１で一方のかご室の下部に後述するジャッキ装置３１を配置する。
【００２３】
ここでは、下部かご室１５の下部に位置したバッファ装置２４の上にジャッキ装置３１を配置するものとして説明するが、上部かご室１４とバッファ装置２４間、または下部かご室１５とバッファ装置２５との間に、ジャッキ装置３１を挿入配置できる対向距離がある方を選んで、ジャッキ装置３１を配置する。しかし、他の例では、バッファ装置２４，２５以外の場所にジャッキ装置３１を配置することも可能であるから、その場合は、いずれか一方のかご室を選定する。
【００２４】
ジャッキ装置３１は通常、機械室やかご上などに予め保管配置したり、この作業時に持参して使用することもできる。下部かご室１５の下部に既に配置されているバッファ装置２４を利用して、図７に示すようにジャッキ装置２８を設置する。図７のバッファ装置２４は油圧式を例示しており、バッファ装置２４の可動部２８の動作を防止するために、可動部２８を覆うようにジャッキ台部３０を配置し、このジャッキ台部３０をバッファ装置２４の固定部２９に固着させる。その後、ジャッキ台部３０の上部に、例えばハンド式のジャッキ装置３１を設置する。このジャッキ装置３１としては、２台ある場合、一対のバッファ装置２４にそれぞれ同様に設置するが、下部かご室１５を安全にジャッキアップできるなら、１台でも良い。
【００２５】
その後、ステップＳ２でジャッキ装置３１のハンドル３２を操作してジャッキアップし、下部かご室１５を上方へ持ち上げる。下部かご室１５が所定長だけ上方に移動すると、ステップＳ３でその構造上、内かご用非常止め装置２７が解除される。そこで作業員は、ステップＳ４としてジャッキ装置３１を元の状態に戻し、バッファ装置２４の上方部からジャッキ装置３１を撤去すると、図４の状態となる。つまり、下部かご室１５側の内かご用非常止め装置２７は解除されるが、上部かご室１４側の内かご用非常止め装置２６はまだ解除されていない。
【００２６】
次いで、作業員はステップＳ５で階高調整用駆動装置１６を駆動して、今度は上部かご室１４を上方へ移動する。このとき、既に内かご用非常止め装置２７は解除されているため、下部かご室１５は調整用ロープ１８を介して下方に移動する。ステップＳ６で上部かご室１４が所定距離だけ上方に移動すると、その構造上、内かご用非常止め装置２６が解除される。
【００２７】
ステップＳ１で、ジャッキ装置３１をバッファ装置２４の上方部に配置するとき、バッファ装置２４がばね式であれば、図８に示すようにばね３３を覆うようにジャッキ台部３０を配置しながら、このジャッキ台部３０をバッファ装置２４の固定部２９に固定させる。また、バッファ装置２４がゴム式であれば、図９に示すようにゴム３４を覆うようにジャッキ台部３０を配置しながら、このジャッキ台部３０をバッファ装置２４の固定部２９に固定させる。
【００２８】
上述の場合とは異なり、下部かご室１５とバッファ装置２４間には十分な隙間がなく、上部かご室１４とバッファ装置２５間にはジャッキ装置３１を配置できる隙間がある場合は、先ずジャッキ装置３１を用いて内かご用非常止め装置２６を解除し、その後、階高調整用駆動装置１６を駆動し下部かご室１５を上方に駆動して内かご用非常止め装置２７を解除する。ジャッキ装置３１をどちらの側のかご室駆動に適用するかは、上述したようにジャッキ装置３１を設置できるかどうかによって決定することができるので、ステップＳ３でジャッキ装置３１を用いていずれか一方のかご室を持ち上げて、いずれか一方の内かご用非常止め装置を解除し、その後、階高調整用駆動装置１６を用いて他方のかご室を持ち上げて他方の内かご用非常止め装置を解除することができる。
【００２９】
このようなダブルデッキエレベーターによれば、いずれか一方のかご室をジャッキ装置３１によって持ち上げていずれか一方の内かご用非常止め装置を解除し、その後、階高調整用駆動装置１６を用いて他方のかご室を持ち上げて他方の内かご用非常止め装置を解除しているため、ジャッキ装置を用いるだけで、単純に階高調整用駆動装置１６によって両かご室１４，１５を一緒に上方へ駆動することができないダブルデッキエレベーターでも、比較的簡単に内かご用非常止め装置２６，２７を解除することができる。しかも、最後に内かご用非常止め装置を解除する側の他方のかご室は、階高調整用駆動装置１６を用いて持ち上げるため、複雑な工具を多数使用することなく、簡単な作業とすることができる。
【００３０】
また、本発明のダブルデッキエレベーターでは、ジャッキ装置３１をいずれか一方のかご室の下方に配置する場合、そのかご室の下部に既に配置しているバッファ装置２４，２５を利用してその上部にジャッキ装置３１を設置しているため、内かご用非常止め装置２６，２７の解除の際に使用するジャッキ装置３１を強固に固定保持するために特別の支持部材を必要としないし、このことを見込んでかご枠１３に支持部を予め構成しておく必要もないので、かご枠１３の構成を簡単にすることができる。
【００３１】
尚、本発明のダブルデッキエレベーターは、図示の構成に限らず、その他の構成のものにも適用することができる。
【符号の説明】
【００３２】
１    昇降路
２    駆動シーブ
３    巻上機
４    そらせ車
５    制御装置
６    主索
７    かご装置
８    釣合おもり
９    縦枠
１０  上部梁
１１  中間梁
１２  下部梁
１３  かご枠
１４  上部かご室
１５  下部かご室
１６  階高調整用駆動装置
１７  シーブ
１８  調整用ロープ
１９  プーリ
２０  プーリ
２１  副ガイドレール
２２  昇降路壁
２３  主ガイドレール
２４  バッファ装置
２５  バッファ装置
２６  内かご用非常止め装置
２７  内かご用非常止め装置
２８  可動部
２９  固定部
３０  ジャッキ台部
３１  ジャッキ装置
３２  ハンドル
３３  ばね
３４  ゴム
【図１】
0005539268.tif 000002
【図２】
0005539268.tif 000003
【図３】
0005539268.tif 000004
【図４】
0005539268.tif 000005
【図５】
0005539268.tif 000006
【図６】
0005539268.tif 000007
【図７】
0005539268.tif 000008
【図８】
0005539268.tif 000009
【図９】
0005539268.tif 000010